【手続補正書】
【提出日】令和1年7月3日(2019.7.3)
【手続補正１】
【補正対象書類名】特許請求の範囲
【補正対象項目名】全文
【補正方法】変更
【補正の内容】
【特許請求の範囲】
【請求項１】
吊り天井等のためのパネル（１）であり、パネル（１）は、上側（２）および下側（３）を有し、少なくとも実質的に剛性のフレーム（４）と、前記フレーム（４）の下側（６）に張り渡されるように構成され、前記パネル（１）の下側（３）を形成する布帛（５）とを含み、前記フレーム（４）は、前記布帛（５）が張り渡され得る下方周縁部（７）を有し、前記布帛（５）の縁部（８）は、前記フレームの前記下方周縁部（７）の上方で前記フレーム（４）の外周側（９）に設けられた突起部を把持するフック状要素（１３）によって前記フレーム（４）の前記外周側（９）に解放可能に取り付けられるように構成された、パネル（１）であって、前記布帛の前記縁部（８）は、前記布帛（５）の前記縁部（８）に沿って配置されたいくつかの締結ブラケット（１１）によって前記フレーム（４）の前記外周側（９）に取り付けられるように構成されること、前記締結ブラケット（１１）は、第一に、前記布帛（５）が前記フレーム（４）の下で緩んだ状態でぶら下がっている第１の下方位置（１５）で、第二に、前記布帛（５）が前記フレーム（４）の前記下側（６）で張り渡される第２の上方位置（１６）で、前記フレーム（４）の前記外周側（９）に選択的に取り付けられるように構成されること、および前記締結ブラケット（１１）の前記第１の下方位置（１５）において、前記締結ブラケット（１１）のフック状要素（１３）は、前記フレーム（４）の前記外周側（９）に設けられた第１の下方突起部（１７）を把持し、前記締結ブラケット（１１）の前記第２の上方位置（１６）において、前記締結ブラケット（１１）の前記フック状要素（１３）は、前記フレーム（４）の前記外周側（９）に設けられた第２の上方突起部（１８）を把持し、前記フレーム（４）が建物の固定天井の下に既に取り付けられている場合、前記布帛を保持する前記締結ブラケット（１１）を前記第１の下方位置（１５）に位置決めし、続いてこれらの前記締結ブラケット（１１）を前記フレーム（４）上の前記第２の上方位置（１６）へと再配置できることを特徴とする、パネル（１）。
【請求項２】
各締結ブラケット（１１）は、前記フック状要素（１３）が配置される第１の上端部（１２）と、支持要素（１９）が配置される第２の下端部（１４）とを有し、前記支持要素（１９）は、前記締結ブラケット（１１）の前記第１の下方位置（１５）および前記締結ブラケット（１１）の前記第２の上方位置（１６）の両方で前記フレーム（４）に当接するように構成される、請求項１に記載のパネル。
【請求項３】
前記支持要素（１９）は、前記締結ブラケット（１１）の前記第１の下方位置において、前記フレーム（４）の縁部の下で把持するように構成される、請求項２に記載のパネル。
【請求項４】
前記布帛（５）の前記縁部（８）は、少なくとも１つのばね（２５）によって各締結ブラケット（１１）に取り付けられる、請求項１〜請求項３のいずれか一項に記載のパネル。
【請求項５】
前記布帛（５）の前記縁部（８）は、少なくとも１つのばね（２５）によって各締結ブラケット（１１）の前記第１の上端部（１２）に取り付けられる、請求項２または請求項３に記載のパネル。
【請求項６】
前記布帛（５）の前記縁部（８）は、前記布帛（５）の前記縁部（８）に沿って取り付けられた細長形材（２６）によって前記少なくとも１つのばね（２５）に取り付けられる、請求項５に記載のパネル。
【請求項７】
前記少なくとも１つのばね（２５）は、前記締結ブラケット（１１）の前記第１の下方位置（１５）において、前記締結ブラケット（１１）の溝（２１）内で前記細長形材（２６）の前記縁部（２０）を保持するように構成される、請求項６に記載のパネル。
【請求項８】
前記締結ブラケット１１は、少なくとも前記締結ブラケット（１１）の前記第１の下方位置（１５）において、前記少なくとも１つのばね（２５）を前記締結ブラケット（１１）の長手方向に案内するように構成され、前記長手方向は、前記締結ブラケット（１１）の前記第１の上端部（１２）から前記第２の下端部（１４）へと延びる方向である、請求項５〜請求項７のいずれか一項に記載のパネル。
【請求項９】
前記締結ブラケット（１１）は、少なくとも前記締結ブラケット（１１）の前記第１の下方位置（１５）において、前記締結ブラケット（１１）の２つの側壁（２２、２３）間に前記少なくとも１つのばね（２５）を引き込むように構成される、請求項５〜請求項８のいずれか一項に記載のパネル。
【請求項１０】
前記締結ブラケット（１１）は、中央壁（２４）と２つの側壁（２２、２３）とを有し、第１の上端部（１２）と第２の下端部（１４）との間で長手方向に延びるＵ字形形材を形成するように折り曲げられた板材から形成される、請求項１〜請求項９のいずれか一項に記載のパネル。
【請求項１１】
ばね（２５）の第１の端部（５２）は、前記Ｕ字形形材の前記第１の上端部（１２）において前記Ｕ字形形材の前記２つの側壁（２２、２３）間に延びるピン（５０）に取り付けられ、前記ばね（２５）の第２の端部（５３）は、前記布帛（５）の前記縁部（８）に沿って取り付けられた細長形材（２６）の縁部（２０）に取り付けられる、請求項１０に記載のパネル。
【請求項１２】
前記Ｕ字形形材の前記第２の下端部（１４）において前記Ｕ字形形材の前記２つの側壁（２２、２３）のそれぞれの下端部に溝（２１）が形成され、前記細長形材（２６）の前記縁部（２０）は、前記溝（２１）に嵌合する、請求項１１に記載のパネル。
【請求項１３】
前記ばね（２５）は、前記溝（２１）内で前記細長形材（２６）の前記縁部（２０）を保持するように構成される、請求項１２に記載のパネル。
【請求項１４】
吊り天井等の少なくとも実質的に剛性のフレーム（４）上に布帛を取り付ける方法であり、前記布帛（５）を前記フレーム（４）の下側（６）で張り渡すことによって、前記パネル（１）の下側（３）を形成すること、前記フレーム（４）の下方周縁部（７）で前記布帛（５）を張り渡すこと、および前記フレームの前記下方周縁部（７）の上方で前記フレーム（４）の外周側（９）に設けられた突起部を把持するフック状要素（１３）によって前記布帛（５）の縁部（８）を前記フレームの前記外周側（９）に解放可能に取り付けることによる、取り付け方法であって、前記布帛（５）の前記縁部（８）に沿って配置されたいくつかの締結ブラケット（１１）によって前記布帛（５）の前記縁部（８）を前記フレーム（４）の前記外周側（９）に取り付けることにより、第１のステップにおいて、各締結ブラケット（１１）は、前記フレーム（４）の前記外周側（９）に設けられた第１の下方突起部（１７）に前記締結ブラケット（１１）のフック状要素（１３）を掛けることによって前記布帛（５）が前記フレーム（４）の下で緩んだ状態でぶら下がっている第１の下方位置（１５）で前記フレーム（４）の前記外周側（９）に取り付けられ、第２のステップにおいて、各締結ブラケット（１１）は、前記第１の下方位置（１５）から、前記フレーム（４）の前記外周側（９）に設けられた第２の上方突起部（１８）に前記締結ブラケット（１１）の前記フック状要素（１３）を掛けることによって前記布帛（５）が前記フレーム（４）の前記下側（６）で張り渡される第２の上方位置（１６）へと再配置されることを特徴とする、取り付け方法。
【請求項１５】
各締結ブラケット（１１）は、前記フック状要素（１３）が配置される第１の上端部（１２）と、支持要素（１９）が配置される第２の下端部（１４）とを有し、前記支持要素（１９）は、前記締結ブラケット（１１）の前記第１の下方位置（１５）および前記締結ブラケット（１１）の前記第２の上方位置（１６）の両方で前記フレーム（４）に当接する、請求項１４に記載の取り付け方法。
【請求項１６】
前記第１のステップにおいて、前記締結ブラケット（１１）がその第１の下方位置に位置決めされると、前記支持要素（１９）は前記フレーム（４）の縁部の下で把持するように位置決めされる、請求項１４に記載の取り付け方法。
【請求項１７】
前記布帛（５）の前記縁部（８）は、少なくとも１つのばね（２５）によって各締結ブラケット（１１）に取り付けられる、請求項１４〜請求項１６のいずれか一項に記載の取り付け方法。
【請求項１８】
前記布帛（５）の前記縁部（８）は、少なくとも１つのばね（２５）によって各締結ブラケット（１１）の前記第１の上端部（１２）に取り付けられる、請求項１４〜請求項１６のいずれか一項に記載の取り付け方法。
【請求項１９】
前記布帛（５）の前記縁部（８）は、前記布帛（５）の前記縁部（８）に沿って細長形材（２６）を取り付けることによって、前記少なくとも１つのばね（２５）に取り付けられる、請求項１８に記載の取り付け方法。
【請求項２０】
前記少なくとも１つのばね（２５）は、前記締結ブラケット（１１）がその第１の下方位置（１５）に配置されている前記第１のステップの間に、前記締結ブラケット（１１）の溝（２１）内で前記細長形材（２６）の縁部（２０）を保持する、請求項１９に記載の取り付け方法。
【請求項２１】
前記締結ブラケット（１１）は、少なくとも前記締結ブラケット（１１）がその第１の下方位置（１５）に配置される前記第１のステップの間、前記少なくとも１つのばね（２５）を前記締結ブラケット（１１）の長手方向に案内し、前記長手方向は、前記締結ブラケット（１１）の前記第１の上端部（１２）から前記第２の下端部（１４）へと延びる方向である、請求項１８〜請求項２０のいずれか一項に記載の取り付け方法。
【請求項２２】
前記締結ブラケット（１１）は、少なくとも前記締結ブラケット（１１）がその第１の下方位置（１５）に配置される第１のステップの間、前記締結ブラケット（１１）の２つの側壁（２２、２３）間に前記少なくとも１つのばね（２５）を引き込む、請求項１８〜請求項２１のいずれか一項に記載の取り付け方法。
【請求項２３】
前記布帛（５）を前記細長形材（２６）に取り付ける前に、前記少なくとも１つのばね（２５）に、前記細長形材（２６）の縁部（２０）を前記締結ブラケット（１１）の溝（２１）内で保持させる、請求項１９に記載の取り付け方法。
【請求項２４】
前記溝（２１）は、前記締結ブラケット（１１）の第２の下端部（１４）に形成される、請求項２３に記載の取り付け方法。
【請求項２５】
前記細長形材（２６）は、前記締結ブラケット（１１）がその第１の下方位置（１５）からその第２の上方位置（１６）へと再配置されるときに延ばされる少なくとも１つのばね（２５）によって、前記締結ブラケット（１１）に取り付けられる、請求項２３または２４に記載の取り付け方法。
【請求項２６】
前記布帛（５）は、前記フレームが天井の取り付け位置に配置された後に、前記少なくとも実質的に剛性のフレーム（４）に取り付けられる、請求項１４〜請求項２５のいずれか一項に記載の取り付け方法。
【請求項２７】
前記布帛（５）は、前記布帛（５）の前記縁部（８）に沿って予め形成された肥厚領域（２７）を有する布帛（５）のロール（４０）を繰り出すことによって、前記少なくとも実質的に剛性のフレーム（４）に取り付けられる、請求項１４〜請求項２６のいずれか一項に記載の取り付け方法。
【請求項２８】
前記布帛（５）は、布帛（５）のロール（４０）を台車（４１）上に配置し、前記布帛（５）が前記布帛（５）の前記ロール（４０）から徐々に繰り出されるにつれて前記少なくとも実質的に剛性のフレーム（４）に沿って前記台車を動かすことによって、前記少なくとも実質的に剛性のフレーム（４）に取り付けられる、請求項１４〜請求項２７のいずれか一項に記載の取り付け方法。
【請求項２９】
前記布帛（５）は、第一に、前記布帛（５）の第１の端部（４２）をいくつかの締結ブラケット（１１）に取り付けて、前記締結ブラケットを前記フレーム（４）の前記外周側（９）に解放可能に係合させ、第二に、前記布帛（５）の中間部分（４３）をいくつかの締結ブラケット（１１）に取り付けて、前記締結ブラケットを前記フレーム（４）の前記外周側（９）に解放可能に係合させ、第三に、前記布帛（５）の第２の端部（４４）をいくつかの締結ブラケット（１１）に取り付けて、前記締結ブラケットを前記フレーム（４）の前記外周側（９）に解放可能に係合させることによって、前記少なくとも実質的に剛性のフレーム（４）に取り付けられる、請求項１４〜請求項２８のいずれか一項に記載の取り付け方法。
【請求項３０】
前記締結ブラケット（１１）のいずれかがその第１の下方位置（１５）からその第２の上方位置（１６）へ再配置される前に、前記布帛（５）を取り付けるのに必要な全ての前記締結ブラケット（１１）をそれらの第１の下方位置で前記フレーム（４）の前記外周側（９）に解放可能に係合させる、請求項２９に記載の取り付け方法。
【請求項３１】
前記布帛（５）の前記第１の端部（４２）は、布帛（５）の部分的に繰り出されたロール（４０）の布帛の自由端である、請求項２４または２５に記載の取り付け方法。